(57)【要約】【課題】ドアレバー、手摺り等の建築用部品が暗所で発光してもその周囲で夜目が利きやすくする。【解決手段】暗所で発光する建築用部品１は、取付面３０から離間する位置に設けられた建築用部品本体１０と、建築用部品本体１０のうち取付面３０に相対する面１１に設けられた蓄光材２０と、を備え、蓄光材２０によって発せられた光が取付面３０によって反射される。【選択図】図１
2015190227.tif 000002
【特許請求の範囲】
【請求項１】
暗所で発光する建築用部品において、
取付面から離間する位置に設けられた建築用部品本体と、
前記建築用部品本体のうち前記取付面に相対する面に設けられた蓄光材と、を備え、
前記蓄光材によって発せられた光が前記取付面によって反射される
ことを特徴とする建築用部品。
【請求項２】
請求項１に記載の建築用部品において、
前記取付面が、金属光沢を有する拡散反射面、金属光沢を有さない拡散反射面又は金属光沢を有さない鏡面反射面である
ことを特徴とする建築用部品。
【請求項３】
請求項１又は２に記載の建築用部品において、
前記建築用部品本体が、ドアの表面から離間する位置に設けられたドアレバー本体である
ことを特徴とする建築用部品。
【請求項４】
請求項３に記載の建築用部品において、
前記建築用部品本体のうち前記取付面に相対する面が凹面状に形成され、前記蓄光材がその凹面に貼着されてその凹面に沿っている
ことを特徴とする建築用部品。
【請求項５】
請求項１又は２に記載の建築用部品において、
前記建築用部品本体が、壁の表面から離間する位置に設けられた手摺り本体である
ことを特徴とする建築用部品。
【発明の詳細な説明】
【技術分野】
【０００１】
本発明は、暗所で発光する建築用部品に関する。
【背景技術】
【０００２】
特許文献１に記載の技術によれば、ドアレバーの上面に溝が形成され、その溝の底に蓄光材が設けられ、透明なガラスが蓄光材の上から溝に充填されている。従って、暗所では、ドアレバーの上面が光って見える。
特許文献２に記載の技術によれば、手摺りの表面のうち壁の反対側の部分に、蓄光性のマークが付されている。そのため、暗所では、手摺りの表面のうち壁の反対側の部分が光って見える。
【先行技術文献】
【特許文献】
【０００３】
【特許文献１】特開２００８−１００４５４号公報
【特許文献２】特開２００５−２５６３７１号公報
【発明の概要】
【発明が解決しようとする課題】
【０００４】
ところが、特許文献１，２に記載の技術では、ドアレバー及び手摺りの光っている部分が直接見える。よって、光っている部分とその周囲の暗部との明暗差が大きくなり、夜目が利きにくい。
また、ドアレバー又は手摺りの光っている部分を目標としてドアレバー又は手摺りを握ろうとすると、指先がドアレバー又は手摺りに当たってしまい、すぐにドアレバー又は手摺りを握ることができない。
また、ドアレバー又は手摺りの直接見える部分が光るので、蓄光材等がドアレバー又は手摺りの意匠に影響を与えてしまう。
【０００５】
そこで、本発明が解決しようとする課題は、ドアレバー、手摺り等の建築用部品が暗所で発光してもその周囲で夜目が利きやすくすること、発光した建築用部品を握ろうとする場合に指先を持って行く箇所を直感的にわかりやすくすること、蓄光材が建築用部品の意匠に影響を与えにくくすることである。
【課題を解決するための手段】
【０００６】
上記課題を解決するための請求項１に係る発明は、例えば図１、図３、図５に示すように、暗所で発光する建築用部品１，１０１，２０１において、取付面３０，１３０，２３０から離間する位置に設けられた建築用部品本体１０，１１０，２１０と、前記建築用部品本体１０，１１０，２１０のうち前記取付面３０，１３０，２３０に相対する面に設けられた蓄光材２０，１２０，２２０と、を備え、前記蓄光材２０，１２０，２２０によって発せられた光が前記取付面３０，１３０，２３０によって反射されることを特徴とする建築用部品１，１０１，２０１である。
【０００７】
請求項１に係る発明によれば、建築用部品１，１０１，２０１の周囲が暗くなっても、蓄光材２０，１２０，２２０が発光して、蓄光材２０，１２０，２２０によって発せられた光が取付面３０，１３０，２３０によって反射されることによって、蓄光材２０，１２０，２２０を間接照明として利用することができる。蓄光材２０，１２０，２２０が直接見えることがないので、取付面３０，１３０，２３０の明るくなった部分とその周囲の暗部との明暗差が極端に大きくならず、夜目が利きやすくなる。
蓄光材２０，１２０，２２０が建築用部品本体１０，１１０，２１０のうち取付面３０，１３０，２３０に相対する面に設けられているため、建築用部品本体１０，１１０，２１０のうち蓄光材２０，１２０，２２０が設けられていない部分のデザインが蓄光材２０，１２０，２２０によって影響を受けない。つまり、建築用部品本体１０、１１０，２１０のうち見える領域の意匠を蓄光材２０，１２０，２２０に影響されずに自由に設計することができる。
建築用部品１，１０１，２０１の周囲から見ると、建築用部品本体１０，１１０，２１０と取付面３０，１３０，２３０との間から光が漏れているように見えるので、建築用部品本体１０，１１０，２１０を握ろうとする場合に、建築用部品本体１０，１１０，２１０と取付面３０，１３０，２３０との間に指先を直感的に運ぶことができる。よって、暗所で建築用部品本体１０，１１０，２１０を握る際に、指先が建築用部品本体１０，１１０，２１０に当たらない。
【０００８】
請求項２に係る発明は、例えば図１，図３，図５に示すように、請求項１に記載の建築用部品１，１０１，２０１において、前記取付面３０，１３０，２３０が、金属光沢を有する拡散反射面、金属光沢を有さない拡散反射面又は金属光沢を有さない鏡面反射面であることを特徴とする建築用部品１，１０１，２０１である。
【０００９】
請求項２に係る発明によれば、蓄光材２０，１２０，２２０が発光すると、取付面３０，１３０，２３０がぼんやりと光って見える。そのため、取付面３０，１３０，２３０の明るくなった部分とその周囲の暗部との明暗差が極端に大きくならず、夜目が利きやすくなる。
また、取付面３０，１３０，２３０によって反射された光の指向性が低いから、取付面３０，１３０，２３０の明るくなった部分を色々な角度から視認することができ、取付面３０，１３０，２３０の明るくなった部分の明るさが見る角度によって影響されにくい。
【００１０】
請求項３に係る発明は、例えば図１，図３に示すように、請求項１又は２に記載の建築用部品１，１０１において、前記建築用部品本体１０，１１０が、ドアの表面から離間する位置に設けられたドアレバー本体であることを特徴とする建築用部品１である。
【００１１】
請求項３に係る発明によれば、ドアレバー本体１０，１１０とドアの表面との間から光が漏れているように見えるため、指をドアレバー本体１０，１１０とドアの表面の間に入れやすくなる。つまり、暗所でドアレバー本体を握りやすい。
【００１２】
請求項４に係る発明は、例えば図３に示すように、請求項３に記載の建築用部品１０１において、前記建築用部品本体１１０のうち前記取付面１３０に相対する面が凹面状に形成され、前記蓄光材１２０がその凹面に貼着されてその凹面に沿っていることを特徴とする建築用部品１０１である。
【００１３】
請求項４に係る発明によれば、蓄光材１２０が凹面に設けられるため、蓄光材１２０によって発せられた光は取付面１３０への指向性が高まる。そのため、蓄光材１２０によって発せられた光のうち取付面１３０に向かわない漏れ光を抑えることができる。
【００１４】
請求項５に係る発明は、例えば図１、図５に示すように、請求項１又は２に記載の建築用部品１，２０１において、前記建築用部品本体１０，２１０が、壁の表面から離間する位置に設けられた手摺り本体であることを特徴とする建築用部品１である。
【００１５】
請求項５に係る発明によれば、手摺り本体１０，２１０と壁の表面との間から光が漏れているように見えるため、指を手摺り本体１０，２１０と壁の表面の間に入れやすくなる。つまり、暗所で手摺り本体を握りやすい。
【発明の効果】
【００１６】
本発明によれば、建築用部品が暗所で発光してもその周囲で夜目が利きやすい。また、建築用部品を直感的に握りやすい。また、蓄光材が建築用部品の意匠に影響を与えにくい。
【図面の簡単な説明】
【００１７】
【図１】本発明の第１実施形態に係る建築用部品の断面図である。
【図２】本発明の第２実施形態に係るドアレバーが取り付けられたドアの斜視図である。
【図３】III−III断面図である。
【図４】本発明の第２実施形態の変形例に係るドアレバーの断面図である。
【図５】本発明の第３実施形態に係る手摺りを破断した状態で示した斜視図である。
【図６】同手摺りの断面図である。
【発明を実施するための形態】
【００１８】
以下に、本発明を実施するための形態について図面を用いて説明する。但し、以下に述べる実施形態には、本発明を実施するために技術的に好ましい種々の限定が付されているが、本発明の技術的範囲を以下の実施形態及び図示例に限定するものではない。
【００１９】
〔第１の実施の形態〕
図１は、建築用部品（建材）１を示した断面図である。この建築用部品１は、手で掴んだり、指で摘んだりするものである。つまり、この建築用部品１は、ドアハンドル、ドアノブ、ドアレバー、レバーハンドル、把手、摘み、手摺りその他これらに類するものである。
【００２０】
この建築用部品１は建築用部品本体１０及び蓄光材２０を備える。
建築用部品本体１０はドアハンドル本体、ドアノブ本体、ドアレバー本体、レバーハンドル本体、把手本体、摘み本体、手摺り本体その他これらに類するものである。建築用部品本体１０は、ブラケット又は軸部材等によって取付面３０との間に隙間４０を置いて取付面３０に取り付けられている。隙間４０の上下が開口している。
【００２１】
建築用部品本体１０がドアハンドル本体、ドアノブ本体又はドアレバー本体である場合には、取付面３０がドアの表面である。建築用部品本体１０が手摺り本体である場合には、取付面３０は壁（例えば、廊下、階段、玄関、浴室、便所、居室、部屋若しくは室等の側壁、エレベーターの籠の内壁）の表面である。
【００２２】
建築用部品本体１０の表面のうち取付面３０に相対する面（以下、対向面という）１１には、蓄光材２０が設けられている。具体的には、蓄光材２０がシート状に形成されており、その蓄光材２０が対向面１１に沿うようにして対向面１１に貼着されている。そのため、蓄光材２０は建築用部品本体１０の裏側に隠れて、人目に見えない。よって、建築用部品本体１０の表面のうち蓄光材２０が設けられていない部分のデザインが蓄光材２０に影響されず、建築用部品本体１０のうち見える領域のデザインを蓄光材２０に影響されずに自由に設計することができる。
【００２３】
蓄光材２０は光を蓄えて発光するものである。つまり、励起光が蓄光材２０に照射されると、蓄光材２０が励起光によって励起されて発光し、励起光が消失しても、蓄光材２０の発光が長時間持続する。従って、蓄光材２０は暗所でも発光する。
【００２４】
蓄光材２０によって発せられた光は取付面３０によって反射される。その反射光は建築用部品本体１０の周囲を通って建築用部品本体１０の表側へ照射される。そのため、蓄光材２０を間接照明として利用することができる。蓄光材２０が直接見えることがないので、取付面３０の明るくなった部分とその周囲の暗部との明暗差が極端に大きくならず、夜目が利きやすくなる。
【００２５】
暗所にある建築用部品１の周囲から建築用部品１を見ると、建築用部品本体１０と取付面３０との間から光が漏れているように見える。従って、建築用部品本体１０を握ろうとする場合に、建築用部品本体１０と取付面３０との間に指先を直感的に運ぶことができる。よって、指先が建築用部品本体１０に引っ掛からず、建築用部品本体１０を握りやすい。
また、蓄光材２０から取付面３０までの距離は２０〜４０ｍｍである。そのため、指を蓄光材２０と取付面３０との間に入れて、建築用部品本体１０を握りやすい。
【００２６】
蓄光材２０を間接照明として利用するべく、取付面３０が鏡でないことが好ましい。つまり、取付面３０は、金属光沢を有さない鏡面反射面（例えば、鏡面加工された面）又は拡散反射面（例えば、艶消し加工された面、シボ加工された面）であるか、金属光沢を有する拡散反射面（例えば、艶消し加工された面、シボ加工された面）である。
なお、取付面３０が鏡（金属光沢を有した鏡面反射面）であってもよい。
【００２７】
取付面３０の幾つかの例を挙げると、取付面３０は次のような面である。
（１）  金属光沢を有さない白色の鏡面反射面
（２）  金属光沢を有さない白色の拡散反射面
（３）  シボ加工又は艶消し加工された金属の表面
（４）  これら（１）〜（３）の何れかの面に透明な膜がコーティングされた面（光沢加工された面）
【００２８】
上記（１）の場合、取付面３０が白色であるので、取付面３０によって光が反射されやすく、蓄光材２０によって発せられた光を有効利用することができる。取付面３０が鏡面反射面であるから、取付面３０によって反射された光の指向性が高くなるが、取付面３０が金属光沢を有さないので、取付面３０に蓄光材２０の像がくっきり映らず、蓄光材２０を間接照明として利用することができる。
上記（２）の場合、上記（１）の場合と同様に蓄光材２０によって発せられた光を有効利用することができる。取付面３０によって反射された光の指向性が低く、蓄光材２０を間接照明として利用することができる。
上記（３）の場合、取付面３０が金属光沢を有するので、取付面３０によって光が反射されやく、蓄光材２０によって発せられた光を有効利用することができる。取付面３０がシボ加工又は艶消し加工されているので、取付面３０に蓄光材２０がくっきり映らず、取付面３０によって反射された光の指向性が低く、蓄光材２０を間接照明として利用することができる。
【００２９】
一方、建築用部品１が明所にあれば、外部の光が蓄光材２０に入射して、蓄光材２０が励起されて、エネルギーが蓄光材２０に蓄えられる。外部の光は、蓄光材２０に直接入射したり、取付面３０によって反射された上で蓄光材２０に入射したりする。
【００３０】
取付面３０は凹面（例えば、柱状凹面、球面状凹面、非球面状凹面、放物面状凹面、楕円面状凹面、双曲面状凹面）、凸面（例えば、柱状凸面、球面状凸面、非球面状凸面、放物面状凸面、楕円面状凸面、双曲面状凸面）又は平面である。
取付面３０が凹面である場合には、取付面３０によって反射された外部の光が蓄光材２０に集まりやすい。また、蓄光材２０によって発せられた光が凹面状の取付面３０によって反射されると、その反射光の指向性が高い。
取付面３０が凸面である場合には、蓄光材２０によって発せられた光が取付面３０によって反射されると、その反射光の指向性が低い。
【００３１】
蓄光材２０が設けられる対向面１１は凹面（例えば、柱状凹面、球面状凹面、非球面状凹面、放物面状凹面、楕円面状凹面、双曲面状凹面）、凸面（例えば、柱状凸面、九面状凸面、非球面状凸面、放物面状凸面、楕円面状凸面、双曲面状凸面）又は平面である。
対向面１１が凹面であれば、蓄光材２０によって発せられた光は取付面３０への指向性が高い。そのため、蓄光材２０によって発せられた光のうち取付面３０に向かわない漏れ光を抑えることができる。また、蓄光材２０によって発せられた光が取付面３０の狭い範囲で反射されることになり、取付面３０が明るく光って見える。
対向面１１が凸面であれば、蓄光材２０によって発せられた光は取付面３０への指向性が低い。そのため、蓄光材２０によって発せられた光は取付面３０の広い範囲で反射されることになり、取付面３０がぼんやりと光って見える。
【００３２】
〔第２の実施の形態〕
図２は、ドア１３５の斜視図である。図３は、図２に示すIII−IIIに沿った面を矢印方向に向かって見て示した断面図である。ドア１３５の一方の表面１３０と他方の表面１３０には、建築用部材としてのドアレバー１０１がそれぞれ設けられている。このドアレバー１０１は可動式であり、ドアレバー１０１を動かせば、ドア１３５のラッチボルト１３６の引き込み及び引き出しを行うことができる。
【００３３】
このドアレバー１０１はレバー本体１１０、脚部１１９、蓄光材１２０を備える。
脚部１１９は、ドア１３５の表面１３０から突出した状態でその表面１３０に取り付けられている。
【００３４】
レバー本体１１０は板状に設けられている。そして、レバー本体１１０が脚部１１９の先端部に取り付けられており、レバー本体１１０の周縁部が脚部１１９の外周面から上下左右にはみ出ている。レバー本体１１０は脚部１１９によってドア１３５の表面１３０から離れた状態に設けられ、レバー本体１１０とドア１３５の表面１３０との間には隙間１４０がある。レバー本体１１０が脚部１１９に対して相対的に回転可能に設けられ、その回転軸がドア１３５の表面１３０から離れた位置において表面１３０に対して略平行である。脚部１１９には、レバー本体１１０の動きをラッチボルト１３６の動きとして伝達する伝動機構が設けられている。レバー本体１１０を引くようにレバー本体１１０を回転させれば、ラッチボルト１３６が引き込み、レバー本体１１０を離せば伝動機構のバネ力によって、レバー本体１１０が元に戻る。なお、レバー本体１１０の形状及び動きは一例であり、別の態様であってもよい。例えば、レバー本体１１０が棒状に設けられ、レバー本体１１０の端部が脚部１１９の先端に連結され、脚部１１９が回転軸であり、レバー本体１１０を脚部１１９を中心に回転させることによってラッチボルト１３６の引き込み・引き出しを行ってもよい。
【００３５】
レバー本体１１０の表面のうちドア１３５の表面１３０に相対する対向面１１１には、シート状の蓄光材１２０がその対向面１１１に沿うように貼着されている。また、蓄光材１２０からドア１３５の表面１３０までの距離は２０〜４０ｍｍであることが好ましい。
【００３６】
対向面１１１は凹面、凸面又は平面である。
【００３７】
ドア１３５の表面１３０の大部分が平面状に形成されているが、その表面１３０のうち対向面１１１に対向する領域は凹面、凸面又は平面である。
【００３８】
ドア１３５の表面１３０のうちレバー本体１１０の対向面１１１に対向する領域は、金属光沢を有する拡散反射面、金属光沢を有さない拡散反射面又は金属光沢を有さない鏡面反射面である。
【００３９】
蓄光材１２０によって発せられた光はドア１３５の表面１３０によって反射される。そのため、ドア１３５が暗所にあれば、ドア１３５の表面１３０のうちレバー本体１１０の近傍が光って見え、蓄光材１２０を間接照明として利用することができる。ドア１３５が明所にあれば、外部光が蓄光材１２０に直接入射したり、ドア１３５の表面１３０によって反射された上で蓄光材１２０に入射したりする。これにより、蓄光材１２０にエネルギーが蓄えられる。
【００４０】
なお、図４に示すように、ドア１３５の表面１３０のうちレバー本体１１０に対向する部分に台座部１３２が設けられ、台座部１３２の表面１３３とドア１３５の表面１３０との間に段差があってもよい。台座部１３２の表面１３３の形状は凹面、凸面又は平面である。その表面１３３の反射特性については、表面１３３が金属光沢を有する拡散反射面、金属光沢を有さない拡散反射面又は金属光沢を有さない鏡面反射面である。また、蓄光材１２０から台座部１３２の表面１３３までの距離は２０〜４０ｍｍであることが好ましい。
【００４１】
〔第３の実施の形態〕
図５は、建築用部品としての手摺り２０１を壁２３５とともに示した断面斜視図である。図６は、手摺り２０１の本体２１０の軸方向に直交する面に沿った断面図である。
【００４２】
手摺り２０１が取り付けられる壁２３５は、廊下、階段、玄関、浴室、便所、居室、部屋又は室等の側壁であるか、又はエレベーターの籠の内壁である。
【００４３】
この手摺り２０１は手摺り本体２１０、ブラケット２１９及び蓄光材２２０を備える。
ブラケット２１９はＬ字型に形成されている。ブラケット２１９の一端が壁２３５の壁面２３０にネジ等の固定具によって固定されており、手摺り本体２１０がブラケット２１９の他端に固定されている。ブラケット２１９は複数あり、複数のブラケット２１９が間隔を置いて壁面２３０に沿って配列されている。
【００４４】
手摺り本体２１０は棒状に設けられており、より具体的には丸棒状に設けられている。手摺り本体２１０がブラケット２１９によって支持されている。手摺り本体２１０はブラケット２１９よって壁面２３０から離れた状態に設けられ、手摺り本体２１０と壁面２３０との間には隙間２４０がある。そして、手摺り本体２１０が水平方向に延在する。なお、手摺り本体２１０が水平面に対して傾斜してもよいし、水平面に対して立てられてもよい。
【００４５】
手摺り本体２１０の表面のうち壁面２３５に相対する部分２１１には、蓄光材２２０が設けられている。具体的には、手摺り本体２１０の表面のうち壁面２３５に相対する部分２１１には、凹部（溝）２１２が形成されており、その蓄光材２２０が凹部２１２に収容された状態で凹部２１２の底に貼着されている。その凹部２１２が手摺り本体２１０の軸方向に延在し、蓄光材２２０が手摺り本体２１０の軸方向に延在した帯状に形成されている。凹部２１２の底は平面状に形成されているか、凹部２１２の底が、中心線が手摺り本体２１０の軸方向に延在した柱状凹面型又は柱状凸面型に形成されており、蓄光材２２０が凹部２１２の底に沿っている。なお、蓄光材２２０から壁面２３０までの距離は２０〜４０ｍｍであることが好ましい。
【００４６】
壁面２３０のうち手摺り本体２１０に対向する領域は、手摺り本体２１０の軸方向に延在した柱状凹面型又は柱状凸面型に形成されている。また、壁面２３０のうち手摺り本体２１０に対向する領域は、金属光沢を有する拡散反射面、金属光沢を有さない拡散反射面又は金属光沢を有さない鏡面反射面である。
【００４７】
蓄光材２２０の光は壁面２３０によって反射される。そのため、手摺り２０１が暗所にあれば、壁面２３０のうち手摺り本体２１０の近傍が光って見え、蓄光材２２０を間接照明として利用することができる。手摺り２０１が明所にあれば、外部光が蓄光材１２０に入射して、蓄光材１２０にエネルギーが蓄えられる。
【符号の説明】
【００４８】
１  建築用部品
１０  建築用部品本体
２０  蓄光材
３０  取付面
１０１  ドアレバー
１１０  ドアレバー本体
１２０  蓄光材
１３０  ドアの表面
２０１  手摺り
２１０  手摺り本体
２２０  蓄光材
２３０  壁の表面
【図１】
2015190227.tif 000003
【図２】
2015190227.tif 000004
【図３】
2015190227.tif 000005
【図４】
2015190227.tif 000006
【図５】
2015190227.tif 000007
【図６】
2015190227.tif 000008